(57)【特許請求の範囲】
【請求項１】
ユーザ操作を受け付ける操作部と、表示部とを備えた情報処理装置のコンピュータが読み取り可能な制御プログラムであって、
前記コンピュータを、
画像データに基づく画像を前記表示部に表示させる第１表示手段と、
前記第１表示手段により画像が表示された状態で、前記操作部が当該画像をトリミングするためのトリミング枠を表示させるためのユーザ操作を受け付けたことに応じて、当該トリミング枠を前記表示部に表示させる第２表示手段と、
前記第１表示手段により画像が表示されるととともに、前記第２表示手段によりトリミング枠が表示されている場合に、前記操作部が当該画像を回転させるためのユーザ操作を受け付けたことに応じて、当該画像を、当該トリミング枠の中央を中心に回転させる第１画像回転手段と、
前記第１表示手段により画像が表示されているが、前記第２表示手段によりトリミング枠が表示されていない場合に、前記操作部が当該画像を回転させるためのユーザ操作を受け付けたことに応じて、当該画像を、当該画像の中央を中心に回転させる第２画像回転手段と、
して機能させることを特徴とする制御プログラム。
【請求項２】
前記第１画像回転手段により前記表示部に表示された画像が回転された際に、前記表示部に表示されたトリミング枠の内部領域全体が当該画像で満たされているか否かを判定する判定手段と、
前記判定手段により前記表示部に表示されたトリミング枠の内部領域全体が当該画像で満たされていないと判定された場合に、当該トリミング枠の当該画像で満たされていない部分を、所定の画像で満たすように、当該トリミング枠の内部領域全体の画像の画像データを作成する作成手段と、
して前記コンピュータを機能させることを特徴とする請求項１に記載の制御プログラム。
【請求項３】
前記第２表示手段は、
前記第１表示手段により画像が表示された状態で、複数の前記トリミング枠を前記表示部に表示させ、
前記第１画像回転手段は、
前記第１表示手段により画像が表示されるととともに、前記第２表示手段により複数のトリミング枠が表示されている場合に、前記操作部が当該画像を回転させるためのユーザ操作を受け付けたことに応じて、当該画像のうち少なくとも当該複数のトリミング枠の内側領域の画像を、当該複数のトリミング枠毎の中央を中心に、個別に回転させることを特徴とする請求項１又は２に記載の制御プログラム。
【請求項４】
前記第１表示手段は、
前記第２表示手段により複数のトリミング枠が前記表示部に表示された状態において、前記第１画像回転手段により前記表示部に表示された画像が回転される場合に、当該複数のトリミング枠を個別に含むように当該画像を分割した状態で、当該画像の当該トリミング枠の内側領域だけでなく外側領域も前記表示部に表示させることを特徴とする請求項３に記載の制御プログラム。
【請求項５】
前記第１表示手段は、
前記第２表示手段によりトリミング枠が前記表示部に表示された状態において、前記操作部がトリミングするためのユーザ操作を受け付けたことに応じて、当該画像を当該トリミング枠に基づきトリミングされた状態で前記表示部に表示させ、前記第１画像回転手段により前記表示部に表示された画像が回転される場合に、当該画像の当該トリミング枠の内側領域だけでなく外側領域の画像も前記表示部に表示させることを特徴とする請求項１乃至３の何れか１項に記載の制御プログラム。
【請求項６】
前記操作部は、
前記表示部に表示された第１操作子と、前記第１操作子とは異なる第２操作子であり、
前記第１画像回転手段は、
前記第１表示手段により画像が表示されるととともに、前記第２表示手段によりトリミング枠が表示されている場合に、前記第１操作子が当該画像を回転させるためのユーザ操作を受け付けたことに応じて、当該画像を、当該トリミング枠の中央を中心に、所定の角度、回転させ、前記第２操作子が当該画像を回転させるためのユーザ操作を受け付けたことに応じて、当該画像を、当該トリミング枠の中央を中心に、前記所定の角度以下に設定された設定角度以下の任意の角度に回転させ、
前記第２画像回転手段は、
前記第１表示手段により画像が表示されているが、前記第２表示手段によりトリミング枠が表示されていない場合に、前記第１操作子が当該画像を回転させるためのユーザ操作を受け付けたことに応じて、当該画像を、当該画像の中央を中心に、前記所定の角度、回転させ、前記第２操作子が当該画像を回転させるためのユーザ操作を受け付けたことに応じて、当該画像を、当該画像の中央を中心に、前記設定角度以下の任意の角度に回転させることを特徴とする請求項１乃至５の何れか１項に記載の制御プログラム。
【請求項７】
前記第２操作子は、
前記表示部において、所定の方向にスライド動作が可能なスライド部を有し、
前記第１画像回転手段は、
前記第１表示手段により画像が表示されるととともに、前記第２表示手段によりトリミング枠が表示されている場合に、前記スライド部がスライド動作を示すユーザ操作を受け付けたことに応じて、当該画像を、当該トリミング枠の中央を中心に、前記設定角度以下の任意の角度に回転させ、
前記第２画像回転手段は、
前記第１表示手段により画像が表示されているが、前記第２表示手段によりトリミング枠が表示されていない場合に、前記スライド部がスライド動作を示すユーザ操作を受け付けたことに応じて、当該画像を、当該画像の中央を中心に、前記設定角度以下の任意の角度に回転させることを特徴とする請求項６に記載の制御プログラム。
【請求項８】
前記所定の角度は、９０度であることを特徴とする請求項６又は７に記載の制御プログラム。
【請求項９】
前記第２表示手段により表示される前記トリミング枠は、矩形であり、
前記第１画像回転手段は、
前記第１表示手段により画像が表示されるととともに、前記第２表示手段によりトリミング枠が表示されている場合に、前記操作部が当該画像を回転させるためのユーザ操作を受け付けたことに応じて、当該画像を、当該トリミング枠の４隅の頂点からの距離が同一となる箇所を、当該トリミング枠の中央として、当該中央を中心に回転させることを特徴とする請求項１乃至８の何れか１項に記載の制御プログラム。
【請求項１０】
前記第１表示手段により表示される前記画像は、矩形であり、
前記第２画像回転手段は、
前記第１表示手段により画像が表示されているが、前記第２表示手段によりトリミング枠が表示されていない場合に、前記操作部が当該画像を回転させるためのユーザ操作を受け付けたことに応じて、当該画像を、当該画像の４隅の頂点からの距離が同一となる箇所を、当該画像の中央として、当該中央を中心に回転させることを特徴とする請求項１乃至９の何れか１項に記載の制御プログラム。
【請求項１１】
ユーザ操作を受け付ける操作部と、
表示部と、
制御部と、
を備えた情報処理装置であって、
前記制御部は、
画像データに基づく画像を前記表示部に表示させる第１表示手段と、
前記第１表示手段により画像が表示された状態で、前記操作部が当該画像をトリミングするためのトリミング枠を表示させるためのユーザ操作を受け付けたことに応じて、当該トリミング枠を前記表示部に表示させる第２表示手段と、
前記第１表示手段により画像が表示されるととともに、前記第２表示手段によりトリミング枠が表示されている場合に、前記操作部が当該画像を回転させるためのユーザ操作を受け付けたことに応じて、当該画像を、当該トリミング枠の中央を中心に回転させる第１画像回転手段と、
前記第１表示手段により画像が表示されているが、前記第２表示手段によりトリミング枠が表示されていない場合に、前記操作部が当該画像を回転させるためのユーザ操作を受け付けたことに応じて、当該画像を、当該画像の中央を中心に回転させる第２画像回転手段と、
を有することを特徴とする情報処理装置。
【発明の詳細な説明】
【技術分野】
【０００１】
本発明は、画像データに基づく画像を表示部に表示させるための制御プログラムおよび、情報処理装置に関する。
【背景技術】
【０００２】
画像データに基づく画像を表示部に表示させることが可能な情報処理装置では、下記特許文献に記載されているように、表示部に表示された画像を、所定の位置および、サイズにて、トリミングすることが可能であり、トリミングされた画像（以下、「トリミング画像」と記載する場合がある）若しくは、トリミングされる前の画像を、任意の角度に回転させることが可能である。
【先行技術文献】
【特許文献】
【０００３】
【特許文献１】特開２０１２−７０３１０号公報
【発明の概要】
【発明が解決しようとする課題】
【０００４】
上記特許文献に記載の技術によれば、トリミング画像、若しくは、トリミングされる前の画像を任意の角度に回転させることが可能であり、便利である。しかしながら、トリミング画像の回転手法と、トリミングされる前の画像の回転手法とは、通常、同じであるため、適切に画像を回転させることができない虞がある。具体的には、例えば、トリミングされる前の画像が、その画像の中央を中心に回転される場合には、トリミング画像も、トリミングされる前の画像の中央を中心に回転される。このようにトリミング画像が回転されると、トリミング画像が公転、つまり、トリミング画像の外部の軸を中心に回転し、トリミング画像をユーザのイメージに近い状態で回転させることができない虞がある。本発明は、そのような事情に鑑みてなされたものであり、トリミング画像をユーザのイメージに近い状態で回転させるための技術を提供する。
【課題を解決するための手段】
【０００５】
上記課題を解決するために、本発明の制御プログラムは、ユーザ操作を受け付ける操作部と、表示部とを備えた情報処理装置のコンピュータが読み取り可能な制御プログラムであって、前記コンピュータを、画像データに基づく画像を前記表示部に表示させる第１表示手段と、前記第１表示手段により画像が表示された状態で、前記操作部が当該画像をトリミングするためのトリミング枠を表示させるためのユーザ操作を受け付けたことに応じて、当該トリミング枠を前記表示部に表示させる第２表示手段と、前記第１表示手段により画像が表示されるととともに、前記第２表示手段によりトリミング枠が表示されている場合に、前記操作部が当該画像を回転させるためのユーザ操作を受け付けたことに応じて、当該画像を、当該トリミング枠の中央を中心に回転させる第１画像回転手段と、前記第１表示手段により画像が表示されているが、前記第２表示手段によりトリミング枠が表示されていない場合に、前記操作部が当該画像を回転させるためのユーザ操作を受け付けたことに応じて、当該画像を、当該画像の中央を中心に回転させる第２画像回転手段と、して機能させることを特徴とする。
【０００６】
また、上記課題を解決するために、本発明の情報処理装置は、ユーザ操作を受け付ける操作部と、表示部と、制御部と、を備えた情報処理装置であって、前記制御部は、画像データに基づく画像を前記表示部に表示させる第１表示手段と、前記第１表示手段により画像が表示された状態で、前記操作部が当該画像をトリミングするためのトリミング枠を表示させるためのユーザ操作を受け付けたことに応じて、当該トリミング枠を前記表示部に表示させる第２表示手段と、前記第１表示手段により画像が表示されるととともに、前記第２表示手段によりトリミング枠が表示されている場合に、前記操作部が当該画像を回転させるためのユーザ操作を受け付けたことに応じて、当該画像を、当該トリミング枠の中央を中心に回転させる第１画像回転手段と、前記第１表示手段により画像が表示されているが、前記第２表示手段によりトリミング枠が表示されていない場合に、前記操作部が当該画像を回転させるためのユーザ操作を受け付けたことに応じて、当該画像を、当該画像の中央を中心に回転させる第２画像回転手段と、を有することを特徴とする。
【発明の効果】
【０００７】
本明細書の実施形態として記載の制御プログラム、および、情報処理装置では、トリミングされる前の画像は、その画像の中央を中心に回転操作される。一方、トリミング画像は、画像をトリミングするための枠の中央を中心に回転操作される。これにより、トリミング画像を自転、つまり、トリミング画像の内部の軸を中心に回転操作することが可能となり、トリミング画像をユーザのイメージに近い状態で回転させることが可能となる。
【図面の簡単な説明】
【０００８】
【図１】通信システム１のブロック図である。
【図２】編集画面７０を示す図である。
【図３】回転処理画面８０を示す図である。
【図４】回転処理画面８０を示す図である。
【図５】回転処理画面８０を示す図である。
【図６】編集画面７０を示す図である。
【図７】トリミング処理画面１００を示す図である。
【図８】編集画面７０を示す図である。
【図９】回転処理画面８０を示す図である。
【図１０】回転処理画面８０を示す図である。
【図１１】編集画面７０を示す図である。
【図１２】回転処理画面８０を示す図である。
【図１３】編集画面７０を示す図である。
【図１４】編集画面７０を示す図である。
【図１５】トリミング処理画面１００を示す図である。
【図１６】編集画面７０を示す図である。
【図１７】回転処理画面８０を示す図である。
【図１８】回転処理画面８０を示す図である。
【図１９】編集画面７０を示す図である。
【図２０】表示アプリケーション３６のフローチャートを示す図である。
【図２１】表示アプリケーション３６のフローチャートを示す図である。
【図２２】表示アプリケーション３６のフローチャートを示す図である。
【発明を実施するための形態】
【０００９】
＜実施形態＞
図１に、本願に係る実施形態として例示される通信システム１のブロック図を示す。通信システム１は、携帯電話（本発明の情報処理装置の一例）１０、スキャナ５０、アクセスポイント５２、基地局５６を備える。スキャナ５０は、フラットベットとＡＤＦ（Auto Document Feederの略）とを有しており、フラットベットとＡＤＦとの何れかにセットされた原稿をスキャンし、スキャンデータを作成する。また、アクセスポイント５２は、無線ＬＡＮアクセスポイント、及びルーターとしての機能を備え、スキャナ５０と接続されている。
【００１０】
携帯電話１０の構成について説明する。携帯電話１０は、ＣＰＵ（Central Processing Unitの略）（本発明のコンピュータ、制御部の一例）１２、記憶部１４、無線通信Ｉ／Ｆ１６、携帯電話通信Ｉ／Ｆ１８、ＬＣＤ（liquid crystal displayの略）（本発明の表示部の一例）２０、タッチパネル（本発明の操作部の一例）２２を主に備えている。これらの構成要素は、入出力ポート２８を介して互いに通信可能とされている。
【００１１】
無線通信Ｉ／Ｆ１６は、ＩＥＥＥの８０２．１１の規格およびそれに準ずる規格に基づいて、Ｗｉ-Ｆｉ (R)（Wi-Fi Allianceの登録商標）方式（ＷＦ方式と略して記載する場合もある）の無線通信３０を行うことが可能とされている。すなわち、携帯電話１０は、アクセスポイント５２へアクセスし、ＷＦ方式の無線通信３０を行える状態になれば、アクセスポイント５２を介して、スキャナ５０とデータ通信することが可能になる。
【００１２】
携帯電話通信Ｉ／Ｆ１８は、基地局５６との間で携帯電話通信方式の無線通信３２を行うことが可能とされている。すなわち、携帯電話１０は、携帯電話通信方式の無線通信３２を行える状態になれば、基地局５６を介して、データ通信することが可能になる。
【００１３】
ＣＰＵ１２は、記憶部１４内の表示アプリケーション（本発明の制御プログラムの一例）３６に従って処理を実行する。表示アプリケーション３６は、スキャンデータに基づく画像をＬＣＤ２０に表示するためのプログラムである。以降、表示アプリケーション３６を実行するＣＰＵ１２のことを、単にプログラム名でも記載する場合がある。例えば、「表示アプリケーション３６が」という記載は、「表示アプリケーション３６を実行するＣＰＵ１２が」ということを意味する場合がある。
【００１４】
また、記憶部１４は、データ記憶領域３８を備える。データ記憶領域３８は、スキャナ５０から取得したスキャンデータ、表示アプリケーション３６の実行に必要なデータなどを記憶する領域である。なお、記憶部１４は、ＲＡＭ（Random Access Memoryの略）、ＲＯＭ（Read Only Memoryの略）、フラッシュメモリー、ＨＤＤ（ハードディスクの略）、ＣＰＵ１２が備えるバッファなどが組み合わされて構成されている。
【００１５】
ＬＣＤ２０は、携帯電話１０の各種機能を表示する表示面を備える。タッチパネル２２は、タッチセンサを有し、ＬＣＤ２０の表示面を覆うように配置されている。タッチパネル２２は、ユーザの指、タッチペン等のタッチパネル２２への接近・接触を検出し、検出に応じて電気信号を出力する。
【００１６】
＜通信システムを利用した画像の表示＞
通信システム１では、スキャナ５０が、携帯電話１０からの指令に従って、スキャン処理を実行し、スキャン処理により作成されたスキャンデータが、携帯電話１０に送信される。携帯電話１０では、受信したスキャンデータに基づく画像が、ＬＣＤ２０に表示される。そして、ＬＣＤ２０に表示された画像が、タッチパネル２２への操作により、回転され、ＬＣＤ２０に表示された画像の表示角度が調整される。
【００１７】
具体的には、携帯電話１０において、スキャンデータに基づく画像の表示処理を実行するためのボタン（図示省略）が操作されると、ＬＣＤ２０に、スキャン処理を行うための画面（図示省略）が表示される。この画面には、設定ボタン（図示省略）とスキャンボタン（図示省略）とが表示されている。設定ボタンは、スキャン処理の条件を設定するためのボタンであり、設定ボタンへの操作により、解像度，モノクロスキャンとカラースキャンとの何れかの選択，スキャナ５０のフラットベットとＡＤＦとの何れの原稿をスキャンするかの選択等が設定される。また、スキャンボタンは、スキャン処理を実行するためのボタンであり、設定されたスキャン処理条件に従ったスキャン処理の実行指令が、スキャンボタンの操作により、スキャナ５０に送信される。
【００１８】
スキャナ５０は、実行指令を受信すると、指令に応じたスキャン処理を実行し、スキャン処理により作成されたスキャンデータを、携帯電話１０に送信する。携帯電話１０は、スキャンデータを受信すると、図２に示すように、ＬＣＤ２０に編集画面７０を表示する。編集画面７０には、表示欄７２と、回転ボタン７４と、トリミングボタン７６と、完了ボタン７８とが表示される。表示欄７２には、受信したスキャンデータに基づく画像が表示される。回転ボタン７４は、表示欄７２に表示された画像の回転処理を実行するためのボタンである。トリミングボタン７６は、表示欄７２に表示された画像のトリミング処理を実行するためのボタンである。完了ボタン７８は、編集画面７０での操作が完了した際に操作されるボタンである。
【００１９】
編集画面７０において、回転ボタン７４が操作されると、図３に示すように、回転処理画面８０が、ＬＣＤ２０に表示される。回転処理画面８０には、表示欄８２と、左回転ボタン（本発明の第１操作子の一例）８４と、右回転ボタン（本発明の第１操作子の一例）８６と、調整スライダ（本発明の第２操作子の一例）８８と、完了ボタン９０とが表示される。表示欄８２には、編集画面７０の表示欄７２に表示されていた画像が表示される。左回転ボタン８４は、表示欄８２に表示された画像を左方向に９０度回転させるためのボタンである。右回転ボタン８６は、表示欄８２に表示された画像を右方向に９０度回転させるためのボタンである。調整スライダ８８は、表示欄８２に表示された画像を任意の方向に任意の角度回転させるためのボタンである。完了ボタン９０は、回転処理画面８０での操作が完了した際に操作されるボタンである。タッチパネル２２は、前述したボタンがユーザにより操作されることにより、当該操作に応じた信号を出力する。また、タッチパネル２２は調整スライダ８８のスライド部９８が操作されることにより、当該操作に応じた信号を出力する。
【００２０】
回転処理画面８０において、左回転ボタン８４が操作されると、図４に示すように、表示欄８２に表示されている画像が、左方向に９０度回転する。また、右回転ボタン８６が操作されると、表示欄８２に表示されている画像が、右方向に９０度回転する。これにより、例えば、９０度傾いた状態でスキャンされた原稿の画像、つまり、横倒しの状態の画像を、正常な状態の画像として、ＬＣＤ２０に表示することが可能となる。また、左回転ボタン８４が２回操作されると、表示欄８２に表示されている画像が、左方向に１８０度回転する。また、右回転ボタン８６が２回操作されると、表示欄８２に表示されている画像が、右方向に１８０度回転する。これにより、例えば、１８０度傾いた状態でスキャンされた原稿の画像、つまり、上下方向にひっくり返った状態の画像を、正常な状態の画像として、ＬＣＤ２０に表示することが可能となる。なお、表示欄８２に表示されている画像が回転する際には、その画像の中央９２を中心に回転する。ちなみに、画像の中央９２は、概して矩形の画像の４隅の頂点からの距離が同一となる箇所である。また、図中の画像の中央９２を示す印は、説明のために図示されたものであり、実際の回転処理画面８０には、表示されない。
【００２１】
また、調整スライダ８８は、ガイド部９６とスライド部（本発明のスライド部の一例）９８とによって構成されている。ガイド部９６は、所定の長さの直線であり、携帯電話１０の左右方向に延びるようにＬＣＤ２０に表示されている。スライド部９８は、概して円形をなし、スライド部９８の中央に表示されており、ガイド部９６上において、ガイド部９６に沿った方向にスライド操作可能である。つまり、ユーザが、指，タッチペン等の操作媒体をスライド部９８に接近・接触させた状態で、操作媒体を左右方向に移動させることで、スライド部９８がガイド部９６上においてスライドする。このように、スライド部９８がスライド操作されることで、表示欄８２に表示されている画像が、スライド部９８のスライド方向に、スライド部９８のスライド量に応じた角度、回転する。
【００２２】
具体的には、例えば、スライド部９８を、図５に示すように、左方向に所定量スライドさせた場合には、表示欄８２に表示されている画像が、左方向に、スライド部９８のスライド量に応じた角度、回転する。一方、スライド部９８を、右方向に所定量スライドさせた場合には、表示欄８２に表示されている画像が、右方向に、スライド部９８のスライド量に応じた角度、回転する。なお、表示欄８２に表示されている画像が回転する際には、その画像の中央９２を中心に回転する。
【００２３】
また、スライド部９８がガイド部９６の左端までスライドされた場合、若しくは、スライド部９８がガイド部９６の右端までスライドされた場合に、表示欄８２に表示されている画像は、最も大きく回転するが、その際の画像の回転角度、つまり、スライド部９８への操作により回転する画像の最大回転角度は、左回転ボタン８４および右回転ボタン８６による回転角度、つまり、９０度以下の所定の角度に設定されている。つまり、調整スライダ８８への操作により、スライド部９８のスライド量を調整することで、表示欄８２に表示されている画像の表示角度を９０度以下の所定の角度以下の任意の角度に調整することが可能となる。これにより、例えば、スキャナ５０のフラットベッド、若しくは、ＡＤＦに僅かに傾いた状態でセットされた原稿が、スキャンされた場合に、編集画面７０の表示欄７２には、僅かに傾いた状態の画像が表示されるが、回転処理画面８０において、調整スライダ８８を操作することで、画像の表示角度を微調整し、表示欄８２に正常な状態の画像を表示することが可能となる。
【００２４】
なお、スライド部９８への操作により回転する画像の最大回転角度（以下、「画像最大回転角度」と記載する場合がある）は、小さな角度に設定されるほど、画像の表示角度を好適に調整することが可能となる。しかしながら、画像最大回転角度が小さすぎると、その画像最大回転角度より傾いた状態で表示された画像を正常な状態まで回転させることができない虞がある。特に、原稿が、フラットベッドにセットされる場合には、ＡＤＦにセットされる場合と比較して、傾いた状態でセットされる可能性が高い。このため、フラットベッドにセットされた原稿のスキャンデータに基づく画像が、傾いた状態で表示されている場合には、画像最大回転角度が小さすぎると、傾いた状態で表示された画像を正常な状態まで回転させることができない虞がある。
【００２５】
このようなことに鑑みて、フラットベッドに原稿がセットされた際のスキャンデータに基づく画像がＬＣＤ２０に表示された際の画像最大回転角度は、ＡＤＦに原稿がセットされた際のスキャンデータに基づく画像がＬＣＤ２０に表示された際の画像最大回転角度より大きく設定されている。具体的には、スキャン処理を行うための画面において、設定ボタンにより設定されたスキャン処理条件が、データ記憶領域３８に記憶されている。そして、スキャンデータに基づく画像がＬＣＤ２０に表示された際に、そのスキャンデータに応じたスキャン処理条件がデータ記憶領域３８から抽出される。そして、抽出されたスキャン処理条件から、スキャン対象の原稿がフラットベッドとＡＤＦと何れにセットされていたかが判定される。スキャン対象の原稿がフラットベッドにセットされていたと判定された場合には、画像最大回転角度は、１５度に設定される。また、スキャン対象の原稿がＡＤＦにセットされていたと判定された場合には、画像最大回転角度は、１０度に設定される。つまり、画像最大回転角度が、１０〜１５度という比較的小さな角度に設定されるとともに、大きく傾いた画像が表示される可能性の高い場合には、画像最大回転角度が、ある程度、大きな角度に設定される。これにより、画像の表示角度を好適に調整するとともに、原稿が、ある程度、大きく傾いた状態でフラットベッドにセットされた場合であっても、傾いた状態で表示された画像を正常な状態まで回転させることが可能となる。
【００２６】
また、回転処理画面８０において、完了ボタン９０が操作されると、図６に示すように、ＬＣＤ２０に編集画面７０が表示される。この編集画面７０の表示欄７２には、回転処理画面８０の表示欄８２に表示されていた画像が表示される。つまり、回転処理画面８０において画像の回転処理が行われていた場合には、回転処理により回転した画像が、回転処理画面８０の表示欄８２に表示される。
【００２７】
その編集画面７０において、トリミングボタン７６が操作されると、図７に示すように、ＬＣＤ２０にトリミング処理画面１００が表示される。トリミング処理画面１００には、表示欄１０２と、トリミング枠１０４と、完了ボタン１０６とが表示される。表示欄１０２には、編集画面７０の表示欄７２に表示されていた画像が表示され、その画像に重なった状態で、トリミング枠１０４が表示される。なお、トリミング枠１０４の内部の画像は、トリミング枠１０４の外部の画像に比べ、明度が高い状態で表示される。
【００２８】
トリミング枠１０４は、表示欄１０２に表示された画像の任意の部分を切り取るためのものであり、トリミング枠１０４の頂点及び辺の各々には、拡大・縮小子１０８が付されている。拡大・縮小子１０８の内部には、矢印が記されており、拡大・縮小子１０８を矢印の方向にスライドさせることで、トリミング枠１０４が矢印の方向に、拡大若しくは、縮小する。つまり、ユーザが、指，タッチペン等の操作媒体を拡大・縮小子１０８に接近・接触させた状態で、操作媒体をその拡大・縮小子１０８に記されている矢印の方向に移動させることで、その矢印の方向にトリミング枠１０４が拡大若しくは、縮小する。これにより、トリミング枠１０４を任意の大きさに調整することが可能となる。また、トリミング枠１０４の中央部には、移動子１１０が付されている。移動子１１０は、トリミング枠１０４を移動させるためのものであり、ユーザが、指，タッチペン等の操作媒体を移動子１１０に接近・接触させた状態で、操作媒体を任意の位置に移動させることで、その位置にトリミング枠１０４が移動する。これにより、表示欄１０２に表示されている画像上の任意の位置に、トリミング枠１０４を移動させることが可能となる。
【００２９】
トリミング処理画面１００において、トリミング枠１０４が任意の大きさに調整され、トリミング枠１０４が任意の位置に移動された後に、完了ボタン１０６が操作されると、図８に示すように、ＬＣＤ２０に編集画面７０が表示される。この編集画面７０の表示欄７２には、トリミング処理画面１００の表示欄１０２に表示されていた画像のうちの、トリミング枠１０４の内部の画像（以下、「トリミング画像」と記載する場合がある）のみが表示される。これにより、トリミング処理画面１００の表示欄１０２に表示されていた画像のうちの、ユーザが望む部分の画像のみをＬＣＤ２０に表示することが可能となる。
【００３０】
また、携帯電話１０では、トリミング画像の回転角度を調整することが可能である。つまり、編集画面７０の表示欄７２にトリミング画像が表示されている状態で、回転ボタン７４が操作されると、図９に示すように、ＬＣＤ２０に回転処理画面８０が表示される。この回転処理画面８０の表示欄８２には、トリミング画像だけでなく、トリミング画像の外側の画像も表示される。つまり、表示欄８２には、トリミング処理画面１００の表示欄１０２に表示されていた画像が表示される。ただし、トリミング画像は、トリミング枠１０４の外側の画像に比べ、明度が高い状態で表示される。このため、トリミング画像と、トリミング画像以外の画像との間には、トリミング枠１２０が表示される。
【００３１】
回転処理画面８０の表示欄８２にトリミング枠１２０が表示されている状態で、左回転ボタン８４が操作されると、図１０に示すように、表示欄８２に表示されている画像が、左方向に９０度回転する。なお、表示欄８２にトリミング枠１２０が表示されている状態で画像の回転操作が行われる場合には、表示欄８２に表示されている画像は、その画像の中央９２ではなく、トリミング枠１２０の中央１２１を中心に回転する。これは、表示欄８２にトリミング枠１２０が表示されている状態の画像が、その画像の中央９２を中心に回転すると、トリミング枠１２０が画像の中央９２からずれている場合には、トリミング画像が公転、つまり、トリミング枠１２０の外部の軸を中心に回転するため、トリミング画像をユーザのイメージに近い状態で回転させることができないためである。つまり、携帯電話１０では、表示欄８２にトリミング枠１２０が表示されている状態の画像が、トリミング枠１２０の中央１２１を中心に回転し、トリミング画像が自転、つまり、トリミング枠１２０の内部の軸を中心に回転するため、トリミング画像をユーザのイメージに近い状態で回転させることが可能となる。ちなみに、トリミング枠１２０の中央１２１は、概して矩形のトリミング枠１２０の４隅の頂点からの距離が同一となる箇所である。また、図中のトリミング枠１２０の中央１２１を示す印は、説明のために図示されたものであり、実際の回転処理画面８０には、表示されない。
【００３２】
そして、表示欄８２にトリミング枠１２０が表示されている状態で画像の回転操作が行われた後に、完了ボタン９０が操作されると、図１１に示すように、表示欄８２には、トリミング枠１２０の内部の画像のみが、トリミング画像として表示される。なお、回転処理画面８０の表示欄８２にトリミング枠１２０が表示されている状態で、右回転ボタン８６が操作された場合には、画像が右方向に回転することを除いて、左回転ボタン８４が操作された場合と同じであるため、説明を省略する。
【００３３】
また、回転処理画面８０の表示欄８２にトリミング枠１２０が表示されている状態で、調整スライダ８８のスライド部９８がスライド操作されると、表示欄８２に表示されている画像が、スライド部９８のスライド方向に、スライド部９８のスライド量に応じた角度、回転する。具体的には、例えば、スライド部９８を、図１２に示すように、左方向に所定量スライドさせた場合には、表示欄８２に表示されている画像が、左方向に、スライド部９８のスライド量に応じた角度、回転する。この際、左回転ボタン８４が操作された時と同様に、表示欄８２に表示されている画像は、その画像の中央９２ではなく、トリミング枠１２０の中央１２１を中心に回転する。これにより、トリミング画像をユーザのイメージに近い状態で回転させることが可能となる。
【００３４】
そして、画像が回転した後に、完了ボタン９０が操作されると、トリミング枠１２０の内部の画像のみが、トリミング画像として表示されるが、表示欄８２に表示されている画像の回転により、トリミング枠１２０が画像からはみ出る場合がある。つまり、トリミング枠１２０の内部領域全体が画像により満たされない場合がある。具体的には、図１２の表示欄８２では、その表示欄８２に表示されている画像の上縁１２２が、トリミング枠１２０の内部に位置しており、トリミング枠１２０の左上の角部が、表示欄８２に表示されている画像からはみ出している。つまり、トリミング枠１２０の左上の角部が、表示欄８２に表示されている画像により満たされていない。このように、トリミング枠１２０の内部領域全体が画像により満たされていない状態で、画像がトリミングされると、図１３に示すように、トリミング枠１２０内の画像が満たされていない箇所、つまり、トリミング枠１２０が画像からはみ出した箇所が切り欠かれた状態で、トリミング画像が表示される。
【００３５】
このため、携帯電話１０では、トリミング枠１２０の内部領域全体が、表示欄８２に表示されている画像により満たされていない場合には、そのトリミング枠１２０内の画像により満たされていない部分、つまり、トリミング枠１２０の画像からはみ出した部分に、所定の画像を加えるように、トリミング画像の画像データが補正される。これにより、画像の回転操作が行われた後に、完了ボタン９０が操作されることで、図１４に示すように、トリミング枠１２０の形状に応じたトリミング画像が、表示欄７２に表示される。なお、所定の画像とは、白色や黒色など予め決められた画像であってもよいし、トリミング画像内の特定の色からなる画像であってもよい。
【００３６】
また、表示欄８２にトリミング枠１２０が表示されている状態で、スライド部９８を右方向に所定量スライドさせた場合には、表示欄８２に表示されている画像が右方向に回転することを除いて、スライド部９８を左方向に所定量スライドさせた場合と同じであるため、説明を省略する。なお、スライド部９８への操作により回転するトリミング画像の最大回転角度は、画像最大回転角度と同じ角度に設定されており、画像最大回転角度と同様に、表示されている画像の基となる原稿のフラットベッド、若しくは、ＡＤＦへのセット位置に応じて異なる角度に設定されている。
【００３７】
このように、トリミング画像が回転される際には、トリミング枠１２０の内部の画像、つまり、トリミング画像だけでなく、トリミング枠１２０の外部の画像も表示される。これにより、ユーザは、画像全体を閲覧した状態で、トリミング画像を回転させることが可能となり、トリミング画像の回転処理を適切に行うことが可能となる。
【００３８】
また、携帯電話１０では、表示画像から複数のトリミング画像を切り取ることが可能となっている。詳しくは、例えば、図８に示すように、編集画面７０の表示欄７２にトリミング画像が表示されている状態で、トリミングボタン７６が操作されると、ＬＣＤ２０には、図１５に示すように、トリミング処理画面１００が表示される。そのトリミング処理画面１００には、編集画面７０で表示されていたトリミング画像に応じた位置、およびサイズのトリミング枠１２０と、新たに画像をトリミングするためのトリミング枠１０４とが表示される。トリミング枠１０４は、上述したように、拡大・縮小子１０８および移動子１１０への操作により、任意の位置に移動し、任意の大きさに変更される。そして、トリミング枠１０４を、任意の位置に移動させ、任意の大きさに変更した後に、トリミング処理画面１００において完了ボタン１０６が操作されると、図１６に示すように、ＬＣＤ２０に編集画面７０が表示され、その編集画面７０の表示欄７２に、２つのトリミング画像が表示される。
【００３９】
さらに、携帯電話１０では、複数のトリミング画像を個別に回転操作することが可能である。具体的には、例えば、編集画面７０の表示欄７２に２つのトリミング画像が表示されている状態で、回転ボタン７４が操作されると、図１７に示すように、ＬＣＤ２０に回転処理画面８０が表示される。この回転処理画面８０の表示欄８２には、編集画面７０で表示されていた２つのトリミング画像に応じた位置、およびサイズの２つのトリミング枠１２０が、表示される。また、表示欄８２には、２つのトリミング画像だけでなく、トリミング画像の外側の画像も表示される。ただし、表示欄８２に表示される画像は、トリミング枠１２０を含むように、２つに分割されており、表示欄８２で分割された画像毎に、１つのトリミング枠１２０が含まれている。つまり、表示欄８２に複数のトリミング枠１２０が表示されている場合には、表示欄８２に表示される画像は、トリミング枠１２０と同数に分割され、表示欄８２で分割された画像毎に、１つのトリミング枠１２０が含まれている。
【００４０】
そして、表示欄８２において複数に分割されている画像のうちの、回転操作を行いたい画像を選択し、左回転ボタン８４，右回転ボタン８６，調整スライダ８８の何れかを操作することで、複数のトリミング画像のうちの任意のトリミング画像が回転する。具体的には、例えば、図１７の表示欄８２において２つに分割されている画像のうちの、下方に位置する分割画像を選択したい場合には、その分割画像に指等を接近させることで、その分割画像が選択される。そして、例えば、調整スライダ８８のスライド部９８をスライド操作することで、図１８に示すように、選択された分割画像が、スライド部９８のスライダ方向にスライダ量に応じた角度、回転する。この際、選択された分割画像は、選択された分割画像に表示されているトリミング枠１２０の中央１２１を中心に回転する。なお、選択されていない分割画像は、回転しない。また、表示欄８２において複数に分割されている画像から任意の画像が選択された後に、左回転ボタン８４、若しくは、右回転ボタン８６が操作された場合には、選択された分割画像が、その分割画像に表示されているトリミング枠１２０の中央１２１を中心に、左方向、若しくは、右方向に９０度回転し、選択されていない分割画像は、回転しない。
【００４１】
さらに、表示欄８２において２つに分割されている画像のうちの、上方に位置する分割画像を回転操作したい場合には、上述した操作を行うことで、上方に位置する分割画像のみが任意の角度に回転する。そして、表示欄８２において２つに分割されている画像のうちの、ユーザが回転操作したい画像の回転操作を行った後に、回転処理画面８０において完了ボタン９０が操作されることで、図１９に示すように、ＬＣＤ２０に編集画面７０が表示され、その編集画面７０には、個別に回転操作された２つのトリミング画像が表示される。このように、携帯電話１０では、複数のトリミング画像を個別に任意の角度に回転させることが可能であり、非常に操作性に優れている。
【００４２】
＜表示アプリケーション＞
上述したスキャンデータに基づく画像のＬＣＤ２０への表示および表示された画像の回転処理等は、ＣＰＵ１２において表示アプリケーション３６が実行されることによって行われる。以下に、図２０乃至図２２を用いて、ＣＰＵ１２で表示アプリケーション３６が実行される際のフローを説明する。
【００４３】
表示アプリケーション３６が実行されると、スキャンボタンが操作されたか否かが、ＣＰＵ１２によって判断される（Ｓ１００）。スキャンボタンが操作されていない場合（Ｓ１００のＮＯ）には、Ｓ１００の処理が繰り返される。一方、スキャンボタンが操作された場合（Ｓ１００のＹＥＳ）には、スキャナ５０から送信されたスキャンデータを受信する（Ｓ１０２）。そして、受信したスキャンデータに基づく画像が、編集画面７０の表示欄７２に表示される（Ｓ１０４）。
【００４４】
編集画面７０の表示欄７２に画像が表示されると、トリミングボタン７６が操作されたか否かが、ＣＰＵ１２によって判断される（Ｓ１０６）。トリミングボタン７６が操作された場合（Ｓ１０６のＹＥＳ）には、ＬＣＤ２０にトリミング処理画面１００が表示され、トリミング処理画面１００の表示欄１０２に、画像とともに、トリミング枠１０４が表示される（Ｓ１０８）。なお、編集画面７０の表示欄７２に既にトリミング枠１２０が表示されている状態で、トリミングボタン７６が操作された場合（Ｓ１０６のＹＥＳ）には、トリミング処理画面１００の表示欄１０２に、画像とともに、そのトリミング枠１２０とトリミング枠１０４とが表示される（Ｓ１０８）。
【００４５】
そして、トリミング処理画面１００において完了ボタン１０６が操作されると、ＬＣＤ２０に編集画面７０が表示される（Ｓ１０９）。この編集画面７０では、トリミング枠１０４の内部の画像が、トリミング画像として表示される。また、トリミング処理画面１００の表示欄１０２に、トリミング枠１０４だけでなく、トリミング枠１２０が表示されていた場合には、トリミング枠１０４の内部の画像と、トリミング枠１２０の内部の画像とが、トリミング画像として表示される。つまり、複数のトリミング画像が表示される。次に、編集画面７０において、回転ボタン７４が操作されたか否かが、ＣＰＵ１２によって判断される（Ｓ１１０）。
【００４６】
編集画面７０の回転ボタン７４が操作された場合（Ｓ１１０のＹＥＳ）には、ＬＣＤ２０に回転処理画面８０が表示される（Ｓ１１１）。この回転処理画面８０では、トリミング画像だけでなく、トリミング画像の外部の画像も表示される。また、編集画面７０で、複数のトリミング画像が表示されていた場合には、回転処理画面８０において、複数のトリミング画像と、それら複数のトリミング画像の外部の画像も表示されるが、それら複数のトリミング画像の外部の画像は、１つのトリミング画像を含むように、分割された状態で表示される。
【００４７】
続いて、回転処理画面８０において、回転処理画面８０の右回転ボタン８６が操作されたか否かが、ＣＰＵ１２によって判断される（Ｓ１１２）。右回転ボタン８６が操作されていない場合（Ｓ１１２のＮＯ）には、回転処理画面８０の左回転ボタン８４が操作されたか否かが、ＣＰＵ１２によって判断される（Ｓ１１４）。左回転ボタン８４が操作されていない場合（Ｓ１１４のＮＯ）には、調整スライダ８８のスライド部９８のスライダ位置が変更されたか否かが、ＣＰＵ１２によって判断される（Ｓ１１６）。
【００４８】
スライド部９８のスライダ位置が変更されている場合（Ｓ１１６のＹＥＳ）には、スライダ位置に応じた画像の回転角度が演算される（Ｓ１１８）。そして、回転処理画面８０の表示欄８２に表示されている画像が、トリミング枠１２０の中央１２１を中心に、演算された角度に回転される（Ｓ１１９）。なお、回転処理画面８０において、表示画像が複数に分割されている場合には、複数の分割画像のうちの選択された分割画像が、その分割画像に含まれるトリミング枠１２０の中央１２１を中心に、演算された角度に回転される（Ｓ１１９）。
【００４９】
次に、トリミング枠１２０が回転された画像からはみ出しているか否かが、ＣＰＵ１２によって判断される（Ｓ１２０）。トリミング枠１２０が回転された画像からはみ出している場合（Ｓ１２０のＹＥＳ）には、画像からトリミング枠１２０がはみ出している内部に、所定の画像が加えられた状態の画像データが作成され、その画像データに基づくトリミング画像が表示される（Ｓ１２１）。そして、Ｓ１２２に進む。一方、トリミング枠１２０が回転された画像からはみ出していない場合（Ｓ１２０のＮＯ）には、Ｓ１２１の処理がスキップされ、Ｓ１２２に進む。
【００５０】
Ｓ１２２では、回転処理画面８０において完了ボタン９０が操作され、編集画面７０がＬＣＤ２０に表示された後に、編集画面７０の完了ボタン７８が操作されたか否かが、ＣＰＵ１２によって判断される（Ｓ１２２）。完了ボタン７８が操作されていない場合（Ｓ１２２のＮＯ）には、Ｓ１０６に戻る。一方、完了ボタン７８が操作されている場合（Ｓ１２２のＹＥＳ）には、編集画面７０の表示欄７２に表示されている画像の画像データが、データ記憶領域３８に記憶される（Ｓ１２４）。そして、表示アプリケーション３６の処理が終了する。
【００５１】
また、Ｓ１１２で右回転ボタン８６が操作されている場合（Ｓ１１２のＹＥＳ）には、回転処理画面８０の表示欄８２に表示されている画像が、トリミング枠１２０の中央１２１を中心に、右方向に９０度回転される（Ｓ１２６）。なお、回転処理画面８０において、表示画像が複数に分割されている場合には、複数の分割画像のうちの選択された分割画像が、その分割画像に含まれるトリミング枠１２０の中央１２１を中心に、右方向に９０度回転される（Ｓ１２６）。そして、Ｓ１２０以降の処理が行われる。また、Ｓ１１４で左回転ボタン８４が操作されている場合（Ｓ１１４のＹＥＳ）には、回転処理画面８０の表示欄８２に表示されている画像が、トリミング枠１２０の中央１２１を中心に、左方向に９０度回転される（Ｓ１２８）。なお、回転処理画面８０において、表示画像が複数に分割されている場合には、複数の分割画像のうちの選択された分割画像が、その分割画像に含まれるトリミング枠１２０の中央１２１を中心に、左方向に９０度回転される（Ｓ１２８）。そして、Ｓ１２０以降の処理が行われる。
【００５２】
また、Ｓ１１６でスライド部９８のスライダ位置が変更されていない場合（Ｓ１１６のＮＯ）にも、Ｓ１２０以降の処理が行われる。また、Ｓ１１０で編集画面７０の回転ボタン７４が操作されていない場合（Ｓ１１０のＮＯ）には、Ｓ１２２以降の処理が行われる。
【００５３】
また、Ｓ１０６でトリミングボタン７６が操作されていない場合（Ｓ１０６のＮＯ）には、編集画面７０において回転ボタン７４が操作されたか否かが、ＣＰＵ１２によって判断される（Ｓ１３０）。回転ボタン７４が操作された場合（Ｓ１３０のＹＥＳ）には、ＬＣＤ２０に回転処理画面８０が表示される（Ｓ１３１）。そして、回転処理画面８０の右回転ボタン８６が操作されたか否かが、ＣＰＵ１２によって判断される（Ｓ１３２）。右回転ボタン８６が操作されていない場合（Ｓ１３２のＮＯ）には、回転処理画面８０の左回転ボタン８４が操作されたか否かが、ＣＰＵ１２によって判断される（Ｓ１３４）。左回転ボタン８４が操作されていない場合（Ｓ１３４のＮＯ）には、調整スライダ８８のスライド部９８のスライダ位置が変更されたか否かが、ＣＰＵ１２によって判断される（Ｓ１３６）。
【００５４】
スライド部９８のスライダ位置が変更されている場合（Ｓ１３６のＹＥＳ）には、スライダ位置に応じた画像の回転角度が演算される（Ｓ１３８）。そして、回転処理画面８０の表示欄８２に表示されている画像が、その画像の中央９２を中心に、演算された角度に回転される（Ｓ１４０）。そして、Ｓ１２０以降の処理が行われる。
【００５５】
また、Ｓ１３２で右回転ボタン８６が操作されている場合（Ｓ１３２のＹＥＳ）には、回転処理画面８０の表示欄８２に表示されている画像が、その画像の中央９２を中心に、右方向に９０度回転される（Ｓ１４２）。そして、Ｓ１２０以降の処理が行われる。また、Ｓ１３４で左回転ボタン８４が操作されている場合（Ｓ１３４のＹＥＳ）には、回転処理画面８０の表示欄８２に表示されている画像が、その画像の中央９２を中心に、左方向に９０度回転される（Ｓ１４４）。そして、Ｓ１２０以降の処理が行われる。さらに、Ｓ１３６でスライド部９８のスライダ位置が変更されていない場合（Ｓ１３６のＮＯ）にも、Ｓ１２０以降の処理が行われる。
【００５６】
なお、Ｓ１０４を実行するＣＰＵ１２は、第１表示手段の一例である。Ｓ１０８を実行するＣＰＵ１２は、第２表示手段の一例である。Ｓ１２０を実行するＣＰＵ１２は、判定手段の一例である。Ｓ１２１を実行するＣＰＵ１２は、作成手段の一例である。Ｓ１１９、Ｓ１２６、Ｓ１２８を実行するＣＰＵ１２は、第１画像回転手段の一例である。Ｓ１４０、Ｓ１４２、Ｓ１４４を実行するＣＰＵ１２は、第２画像回転手段の一例である。
【００５７】
なお、本発明は、上記実施形態に限定されるものではなく、当業者の知識に基づいて種々の変更、改良を施した種々の態様で実施することが可能である。具体的には、例えば、上記実施形態では、画像を回転操作するための左回転ボタン８４、右回転ボタン８６、調整スライダ８８等が、ＬＣＤ２０に表示されるタッチボタンであったが、機械式のボタンであってもよい。
【００５８】
また、調整スライダ８８のスライド部９８を直接、ユーザが指，タッチペン等の操作媒体により操作することで、スライド部９８をスライドさせる構成とされているが、スライド部９８と異なるボタン等を、ユーザが操作媒体により操作することで、スライド部９８をスライドさせる構成を採用することが可能である。また、調整スライダ８８等を用いずに、ユーザが任意の数値を入力し、入力された数値に応じた角度に、画像が回転する構成であってもよい。
【００５９】
また、上記実施形態では、調整スライダ８８の操作により画像が回転する最大回転角度は、１０度、若しくは、１５度に設定されているが、左回転ボタン８４若しくは、右回転ボタン８６の操作により画像が回転する角度未満の角度であれば、任意に設定することが可能である。
【００６０】
また、上記実施形態では、左回転ボタン８４若しくは、右回転ボタン８６への操作により、９０度毎に回転する構成が採用されているが、９０度と異なる角度毎に回転する構成を採用することが可能である。ただし、画像を９０度、若しくは、１８０度に回転させる態様が多いことから、３０度、４５度等の９０度の約数となる角度毎に回転する構成を採用することが好ましい。
【００６１】
また、上記実施形態では、携帯電話１０のＬＣＤ２０にスキャンデータに基づく画像が表示され、その画像に対する回転処理等が実行されているが、スキャンデータ以外の画像データ、例えば、カメラ等の撮像装置による撮像データに基づく画像がＬＣＤ２０に表示され、その画像に対する回転処理等が実行されてもよい。
【００６２】
また、上記実施形態では、画像を表示し、その画像に対する回転処理等を実行するための装置として、携帯電話１０が採用されているが、ＬＣＤ２０等の表示部を有する装置であれば、タブレット等の他の携帯端末、ＰＣ等の据え置き型の情報処理装置を採用してもよい。
【００６３】
また、上記実施形態では、ＣＰＵ１２によって図２０乃至図２２に示す処理が実行される例を説明したが、これら処理は、ＣＰＵ１２に限らず、ＡＳＩＣや他の論理集積回路により実行されてもよいし、これら処理が、ＣＰＵ等やＡＳＩＣ、他の論理集積回路が協働することにより実行されてもよい。
【符号の説明】
【００６４】
１０：携帯電話、１２：ＣＰＵ、２０：ＬＣＤ、２２：タッチパネル、３６：表示アプリケーション、８４：左回転ボタン、８６：右回転ボタン、８８：調整スライダ、９８：スライド部、
【図１】
0006384236.tif 000002
【図２】
0006384236.tif 000003
【図３】
0006384236.tif 000004
【図４】
0006384236.tif 000005
【図５】
0006384236.tif 000006
【図６】
0006384236.tif 000007
【図７】
0006384236.tif 000008
【図８】
0006384236.tif 000009
【図９】
0006384236.tif 000010
【図１０】
0006384236.tif 000011
【図１１】
0006384236.tif 000012
【図１２】
0006384236.tif 000013
【図１３】
0006384236.tif 000014
【図１４】
0006384236.tif 000015
【図１５】
0006384236.tif 000016
【図１６】
0006384236.tif 000017
【図１７】
0006384236.tif 000018
【図１８】
0006384236.tif 000019
【図１９】
0006384236.tif 000020
【図２０】
0006384236.tif 000021
【図２１】
0006384236.tif 000022
【図２２】
0006384236.tif 000023